【事件の表示】
　特許第３２８０３２８号「整髪剤組成物」の請求項１〜４に係る特許に対する特許異議の申立てについて、次のとおり決定する。
【結　論】
　訂正を認める。
　特許第３２８０３２８号の請求項１〜４に係る特許を維持する。
【理　由】
１．手続の経緯
　特許第3280328号の請求項に係る発明は、平成10年11月10日に出願（特願平10-319056号）され、平成14年2月22日にその特許権の設定登録がなされ、その後、南部雄斗、虫賀正男、吉田朗、日本香料工業会の4名より特許異議の申立てがあり、取消の理由が通知され、その指定期間内である平成15年4月1日に訂正請求がなされたものである。
　
２．訂正の適否
(1)訂正の内容
　特許権者が求めている訂正の内容は以下のとおりである。
ア．訂正事項a
特許請求の範囲の請求項１における
「レモンマップオイル、オレンジテルペンオイル、ジャスモン酸メチル、ヒドロジャスモン酸メチル、リリアール、α−、β−又はγ−ダマスコン、α−、β−又はγ−ダマセノン、オイゲノール、イソオイゲノール、メチルオイゲノール、カーネーションオイル及びクローブオイルから選ばれる」
を
「p-tert-ブチル-α-メチルヒドロシンナミックアルデヒド、α−、β−又はγ−ダマスコン、及びα−、β−又はγ−ダマセノンから選ばれる」
　に訂正する。
　
イ．訂正事項ｂ
　特許請求の範囲の請求項１及び2における
「ｑは0以上の数を示す」を
「ｑは20以上の数を示す」
に訂正する。
　
ウ）訂正事項c
　明細書の段落【0004】の
「すなわち、本発明は、レモンマップオイル、オレンジテルペンオイル、ジャスモン酸メチル、ヒドロジャスモン酸メチル、リリアール、α−、β−又はγ−ダマスコン、α−、β−又はγ−ダマセノン、オイゲノール、イソオイゲノール、メチルオイゲノール、カーネーションオイル及びクローブオイルから選ばれる」
を
「すなわち、本発明は、p-tert-ブチル-α-メチルヒドロシンナミックアルデヒド、α−、β−又はγ−ダマスコン、及びα−、β−又はγ−ダマセノンから選ばれる」
と訂正する。
　
エ）訂正事項ｄ
　明細書の段落【0006】の
「ｑは0以上の数を示す」を
「ｑは20以上の数を示す」と訂正する。
　
オ）訂正事項e
　明細書の段落【0008】の
「前記成分のうち、特にジャスモン酸メチル、ヒドロジャスモン酸メチル、リリアール、α−、β−又はγ−ダマスコン、α−、β−又はγ−ダマセノン、オイゲノール、イソオイゲノール、メチルオイゲノールが好ましい。」
を削除する。
　
カ）訂正事項f
　明細書の段落【0009】の
「qは0〜100、」を「qは20〜100」に訂正する。
　
キ）訂正事項g
　明細書の段落【0029】の表2における「本発明品1〜4」の欄を削除し、「本発明品5〜10」を「本発明品1〜6」に訂正し、「レモンマップオイル、オレンジテルペンオイル、ジャスモン酸メチル、ヒドロジャスモン酸メチル、γ−ダマセノン、オイゲノール、イソオイゲノール、メチルオイゲノール、カーネーションオイル、クローブオイル、マスキング剤A（実施例1）、マルトール及びサンダルウッド」の欄を削除し、「リリアール」を「p-tert-ブチル-α-メチルヒドロシンナミックアルデヒド」に訂正する。
　
ク）訂正事項h
　明細書の段落【0030】における「本発明品12〜16及び18」の欄を削除し、「本発明品11」を「本発明品7」に、「本発明品17」を「本発明品8」に訂正し、「レモンマップオイル、オレンジテルペンオイル、ジャスモン酸メチル、ヒドロジャスモン酸メチル、リリアール、α−ダマスコン、β−ダマスコン、γ−ダマスコン、α−ダマセノン、β−ダマセノン、オイゲノール、イソオイゲノール、メチルオイゲノール、カーネーションオイル、クローブオイル、及びサンダルウッド」の欄を削除する。
　
(2)訂正の目的の適否、新規事項の有無及び拡張、変更の存非
　上記訂正事項aのうち、α−、β−又はγ−ダマスコン、α−、β−又はγ−ダマセノン以外の成分を削除することは、特許請求の範囲の減縮を目的とする訂正であり、「リリアール」を「p-tert-ブチル-α-メチルヒドロシンナミックアルデヒド」に訂正することは、商品名であるため物質の特定には不適当な「リリアール」を物質の化学名称である「p-tert-ブチル-α-メチルヒドロシンナミックアルデヒド」に訂正するものであるから、明りょうでない事項の釈明を目的とする訂正である。
　「リリアール」が「p-tert-ブチル-α-メチルヒドロシンナミックアルデヒド」の商品名であることは当業界において周知であるから、願書に添付した明細書の範囲内における訂正である。
　訂正事項bは、共重合体におけるビニルアセテートの数を0以上の数から20以上の数に限定するものであるから、特許請求の範囲の減縮を目的とする訂正であり、明細書の段落【0009】の「qは0〜100、特に20〜50が好ましい」との記載に基づくものであるから、願書に添付した明細書の範囲内における訂正である。
　
　そして、訂正事項ｃ〜ｈは、訂正された請求の範囲に対して発明の詳細な説明の記載を整合させるものであるから明りょうでない事項の釈明を目的とする訂正である。
　
　また、上記訂正はいずれも、特許請求の範囲の拡張又は変更をするものではない。
　
(3)結び
　したがって、上記訂正は特許法第120条の4第2項ただし書き、及び同条3項で準用する特許法第126条第2項〜第3項の規定に適合するので、当該訂正を認める。
　
３．特許異議申立てについての判断
(1)本件発明
　上記のとおり訂正が認められるから、本件請求項1〜4に係る発明は、訂正明細書の特許請求の範囲の各請求項に記載された以下の事項により特定されるものである。
【請求項１】p-tert-ブチル-α-メチルヒドロシンナミックアルデヒド、α−、β−又はγ−ダマスコン、及びα−、β−又はγ−ダマセノンから選ばれる１種以上を有効成分とする一般式（１）【化１】（式は省略）（式中、pは1以上の数、ｑは2０以上の数を示す）で表わされるビニルピロリドン／ビニルアセテートコポリマーの刺激臭マスキング剤。
【請求項２】(A)一般式(1)【化2】（式は省略）（式中、pは1以上の数、qは20以上の数を示す）で表わされるビニルピロリドン／ビニルアセテートコポリマー0.01〜20重量％、及び(B)請求項１記載のマスキング剤を含有する整髪剤組成物。
【請求項３】  更に、(C)炭素数１〜４の脂肪族アルコール、又は炭素数２〜１２のグリコールを含有する請求項２記載の整髪剤組成物。
【請求項４】  更に、(D)界面活性剤を含有する請求項２又は３記載の整髪剤組成物。
　
(2)引用刊行物の記載事項
　当審が通知した取消の理由に引用された刊行物には、以下の事項が記載されている。
　
1) 米国特許5089469号明細書（異議申立人虫賀正男提出の甲第１号証）
　PVP/VAコポリマー（ビニルピロリドン／ビニルアセテートコポリマー、以下PVP/VAという）、オイゲノール及びイソオイゲノールを含む香料、エタノール、界面活性剤（Tween20）を含むヘアスプレーが記載されている。（EXAMPLE X,IV,III等参照）
　
2) 米国特許4447365号明細書（異議申立人虫賀正男提出の甲第２号証）
　PVP/VA、ジャスモン酸メチルまたはジヒドロジャスモン酸メチルを含む香料、エタノール、界面活性剤（Tween20）を含むヘアスプレーが記載されている。（EXAMPLE XV,VI,VIII等参照）
　
3) 特開昭63-192706号公報（異議申立人吉田朗提出の甲第１号証）
　ポリビニルピロリドン（本件発明においてq=0に相当する）及びオイゲノールを含むヘアセット剤が記載されている（実施例４）。
　
4-a) Cosmetic Research USA News 1997 JANUARY-FEBRUARY 98頁
4-b) Cosmetic Research USA News 1997 MARCH 109頁、115頁
4-c) Cosmetic Research USA News 1997 APRIL 107頁
4-d) Cosmetic Research USA News 1997 JUNE-JULY 118頁
4-e) Cosmetic Research USA News 1997 NOVEMBER-DECEMBER 130-131頁
4-f) Cosmetic Research USA News 1998 MARCH 126頁
4-g) Cosmetic Research USA News 1998 MAY 94頁
（以上、異議申立人吉田朗提出の甲第２号証〜第８号証）
　　それぞれ、PVP/VA、アルコール類、界面活性剤及びレモンオイル等を含む整髪剤組成物が記載されている。
　
5) 「香料」No.174 (平成4年6月) 67-72頁
（異議申立人吉田朗提出の甲第9号証）
香料は臭気をマスキングする作用を有することが記載されている。
　
6) 「フレグランスジャーナル」1994年11月号、93-97頁
（異議申立人吉田朗提出の甲第11号証）
酸っぱい要素を持った生地（たとえば、酢酸ビニルを主体としたピールオフパック）には、少し酸っぱい要素を持ったレモンの香りが生地臭をよくカバーするといった経験則があることが記載されている。
　
(3)対比判断
　上記各刊行物の何れにも、p-tert-ブチル-α-メチルヒドロシンナミックアルデヒド、α−、β−又はγ−ダマスコン、及びα−、β−又はγ−ダマセノンから選ばれる１種以上の成分が、ビニルピロリドン／ビニルアセテートコポリマーの刺激臭をマスキングすることについて、何ら記載されておらず、また、「p-tert-ブチル-α-メチルヒドロシンナミックアルデヒド、α−、β−又はγ−ダマスコン、及びα−、β−又はγ−ダマセノンから選ばれる１種以上の成分」及び「ビニルピロリドン／ビニルアセテートコポリマー」を含む整髪剤についても記載されていない。
　
　そして、これらの刊行物の記載事項から、上記成分がビニルピロリドン／ビニルアセテートコポリマーの刺激臭をマスキングすることも、上記成分とビニルピロリドン／ビニルアセテートコポリマーとを含む整髪料も示唆されているとも認めることができない。
　
　また、特許異議申立人らが提出した他の証拠についても同様である。
　
　したがって、本件請求項1〜4に係る発明は、その出願前に頒布された刊行物に記載された発明ではなく、刊行物に記載された発明に基づいて当業者が容易に発明をすることができたものでもない。
　
４．むすび
　以上のとおりであるから、各特許異議申立人が主張する理由及び提出された証拠によって本件発明の特許を取り消すことはできない。
　また、他に本件特許を取り消すべき理由を発見しない。
　よって、結論のとおり決定する。
【異議決定日】
平成１５年１１月１１日（２００３．１１．１１）
【訂正の要旨】
審決（決定）の【理由】欄参照。
（５４）【発明の名称】
整髪剤組成物
（５７）【特許請求の範囲】
　【請求項１】　ｐ−ｔｅｒｔ−ブチル−α−メチルヒドロシンナミックアルデヒド、α−、β−又はγ−ダマスコン、及びα−、β−又はγ−ダマセノンから選ばれる１種以上を有効成分とする一般式（１）
　【化１】
（式中、ｐは１以上の数、ｑは２０以上の数を示す）
で表わされるビニルピロリドン／ビニルアセテートコポリマーの刺激臭マスキング剤。
　【請求項２】　（Ａ）一般式（１）
　【化２】
（式中、ｐは１以上の数、ｑは２０以上の数を示す）
で表わされるビニルピロリドン／ビニルアセテートコポリマー０．０１〜２０重量％、及び
（Ｂ）請求項１記載のマスキング剤
を含有する整髪剤組成物。
　【請求項３】　更に、（Ｃ）炭素数１〜４の脂肪族アルコール、又は炭素数２〜１２のグリコールを含有する請求項２記載の整髪剤組成物。
　【請求項４】　更に、（Ｄ）界面活性剤を含有する請求項２又は３記載の整髪剤組成物。
【発明の詳細な説明】
　【０００１】
　【発明の属する技術分野】
　本発明は、ビニルピロリドン／ビニルアセテートコポリマーの刺激臭マスキング剤、及びこれを含有し、刺激臭のない整髪剤組成物に関する。
　【０００２】
　【従来の技術】
　ビニルピロリドン／ビニルアセテートコポリマー（以下、単にコポリマーと略記する場合がある）は、優れた整髪作用等を有することから、種々の整髪剤組成物に配合されている。整髪剤組成物をはじめとする毛髪化粧料は、使用時に匂いを気にする場面が多く、使用時及び使用後にも特に心地良い香りが要求されるが、前記コポリマーは、それ自体の刺激臭及びコポリマーから発生する酢酸等の刺激臭があり、特にアルコール等を併用するとその刺激臭が強くなる。このため、これらの配合量が制限されたり、刺激臭のマスキング、マッチング等の目的で、使用する香料をより多く賦香したり、使用する香料に、より香り立ちが要求されていた。しかし、これは本来使用する香料のもつパフォーマンスの低下、つまり、使用時及び使用後に提供される香りの心地良さを損ねる原因になっていた。
　【０００３】
　【発明が解決しようとする課題】
　本発明の目的は、コポリマーの刺激臭をマスキングする剤、及びこれを含有し、刺激臭のない整髪剤組成物を提供することにある。
　【０００４】
　【課題を解決するための手段】
　すなわち、本発明は、ｐ−ｔｅｒｔ−ブチル−α−メチルヒドロシンナミックアルデヒド、α−、β−又はγ−ダマスコン、及びα−、β−又はγ−ダマセノンから選ばれる１種以上を有効成分とする一般式（１）
　【０００５】
　【化３】
　【０００６】
（式中、ｐは１以上の数、ｑは２０以上の数を示す）
で表わされるビニルピロリドン／ビニルアセテートコポリマーの刺激臭マスキング剤を提供するものである。
　【０００７】
　また、本発明は、（Ａ）前記一般式（１）で表わされるコポリマー０．０１〜２０重量％、及び
（Ｂ）前記のマスキング剤
を含有する整髪剤組成物を提供するものである。
　【０００８】
　【発明の実施の形態】
　本発明のマスキング剤は、前記成分の１種以上を有効成分とするもので、一般式（１）で表わされるコポリマーの刺激臭をマスキングできる。
　これらの有効成分は、これらのみでマスキング剤として使用でき、また調合香料中に好ましくは１〜８０重量％、特に好ましくは１５〜６０重量％配合して、マスキング剤とすることもできる。
　【０００９】
　また、一般式（１）中、整髪時のスタイルのしやすさやべたつき等の点から、ｐは１〜１００、特に３０〜８０が好ましく、ｑは２０〜１００、特に２０〜５０が好ましい。なお、コポリマー中、各くり返し単位は、ブロック、ランダム等のいずれで重合していてもよい。
　【００１０】
　マスキング剤はコポリマー（１）に対して、その有効成分を１〜５０重量％、特に５〜２０重量％用いるのが好ましい。
　【００１１】
　本発明の整髪剤組成物において、成分（Ａ）は、前記コポリマー（１）であり、これを０．０１〜２０重量％、好ましくは０．１〜１０重量％含有する。
　【００１２】
　成分（Ｂ）のマスキング剤は、その有効成分として、全組成中に０．００５〜１０重量％、特に０．０５〜１重量％配合するのが、刺激臭だけをマスキングするので好ましい。
　【００１３】
　本発明の整髪剤組成物には、更に（Ｃ）炭素数１〜４の脂肪族アルコール、又は炭素数２〜１２のグリコールを配合できる。これらの各成分も刺激臭を有するが、これらの刺激臭も、前記マスキング剤により、マスキングされる。
　成分（Ｃ）のうち、炭素数１〜４の脂肪族アルコールとしては、例えばエタノール、プロパノール等が挙げられる。炭素数２〜１２のグリコールとしては、直鎖又は分岐鎖のいずれでも良く、例えばエチレングリコール、１，３−ブチレングリコール、プロピレングリコール、ジプロピレングリコール、ヘキシレングリコール等が挙げられる。
　成分（Ｃ）は１種以上を用いることができ、全組成中に０．０１〜３０重量％、特に０．１〜５重量％配合するのが好ましい。
　【００１４】
　本発明の整髪剤組成物には、更に（Ｄ）界面活性剤を配合できる。
　界面活性剤の具体的な例としては、以下のものが挙げられる。まずアニオン界面活性剤としては、例えば、（１）グリコール酸Ｎ−アルキル（又はアルケニル）アミド硫酸エステル塩、（２）アルキルベンゼンスルホン酸塩、（３）アルキル（又はアルケニル）エーテル硫酸塩、（４）アルキル（又はアルケニル）硫酸塩、（５）オレフィンスルホン酸塩、（６）アルカンスルホン酸塩、（７）飽和又は不飽和の脂肪酸塩、（８）アルキル（又はアルケニル）エーテルカルボン酸塩、（９）α−スルホン酸塩又はエステル、（１０）Ｎ−アシルアミノ酸型界面活性剤、（１１）リン酸モノ又はジエステル型界面活性剤、（１２）スルホコハク酸エステル等が挙げられる。
　【００１５】
　ノニオン界面活性剤としては、例えば、（１３）ポリオキシエチレンアルキル（又はアルケニル）エーテル、（１４）ポリオキシアルキルフェニルエーテル、（１５）ポリオキシプロピレンアルキル（又はアルケニル）エーテル、（１６）ポリオキシアルキレンアルキル（又はアルケニル）エーテル、（１８）高級脂肪酸アルカノールアミド又はそのアルキレンオキシド付加物、（１９）ショ糖脂肪酸エステル、（２０）グリセリン脂肪酸モノエステル等が挙げられる。これらのうち、ポリオキシエチレン（１〜３０）ラウリルエーテル、グリセリン脂肪酸モノエステルが、増粘作用を示さず好ましい。
　【００１６】
　カチオン界面活性剤としては、第四級アンモニウム塩、特にモノ長鎖型又はジ長鎖型第四級アンモニウムが好ましい。ここでモノ長鎖又はジ長鎖としては、アルキル基、アルケニル基、ヒドロキシアルキル基、アルキルカルボニルアミノアルキル基、アルケニルカルボニルアミノアルキル基、アルキルアミノカルボニルアルキル基、アルケニルアミノカルボニルアルキル基、アルコキシアルキル基、アルケニルオキシアルキル基、脂肪族アシルオキシアルキル基、アルコキシカルボニルアルキル基、アルケニルオキシカルボニルアルキル基等が挙げられる。ここで、アルキル部分やアルケニル部分は、長鎖でも分岐鎖でもよい。より具体的には、特開昭６２−１４１１７６号、同６３−５０５７４号、同６３−２６０９９１号、同６３−２６０９９２号、同６３−２９５７６５号、特開平７−９０７７３号、同７−３０９７２３号、同７−３０９７２４号、同７−３０９７２４号公報等に記載されている毛髪化粧料や柔軟剤に用いられる第四級アンモニウム塩が挙げられる。好ましい例としては、モノ長鎖（直鎖又は分岐鎖）アルキルトリメチルアンモニウム塩、ジ長鎖（直鎖又は分岐鎖）アルキルジメチルアンモニウム塩、モノ長鎖（直鎖又は分岐鎖）アルキルジメチルベンジルアンモニウム塩、ジ長鎖（直鎖又は分岐鎖）アルキルメチルベンジルアンモニウム塩、ジ長鎖（直鎖又は分岐鎖）アルキルメチルヒドロキシエチルアンモニウム塩等が挙げられる。
　【００１７】
　更に、両性界面活性剤の例としては、例えば、イミダゾリン型、アミドアミノ酸塩、カルボベタイン型、アルキルベタイン型、アルキルアミドベタイン型、アルキルスルホベタイン型等が挙げられる。
　【００１８】
　成分（Ｄ）の界面活性剤は、１種以上を用いることができ、全組成中に０．０５〜３０重量％、特に０．１〜１０重量％配合するのが、泡立ちなどの点で好ましい。
　【００１９】
　また、本発明の整髪剤組成物には、シリコーン誘導体を配合することができ、感触の向上、残香性の向上をはかることができる。かかるシリコーン誘導体としては、ジメチルポリシロキサン、メチルフェニルシロキサン、メチルフェニルポリシロキサン、アミノ変性シリコーン、ポリエーテル変性シリコーン、脂肪酸変性シリコーン、フッ素型変性シリコーン、環状シリコーン、アルキル変性シリコーン、アルコール変性シリコーン、脂肪族変性シリコーン、エポキシ変性シリコーンなどが挙げられる。
　【００２０】
　シリコーン誘導体は、１種以上を用いることができ、全組成中に０．０１〜１５重量％、特に０．１〜１０重量％配合するのが好ましい。
　【００２１】
　さらに、本発明の整髪剤組成物には、カチオン性ポリマーを配合でき、すべり性及び香り立ちを向上することができる。かかるカチオン性ポリマーとしては、例えばカチオン化セルロース誘導体、カチオン性澱粉、カチオン化グアーガム誘導体、ジアリル四級アンモニウム塩重合物、ジアリル四級アンモニウム塩／アクリルアミド共重合物、四級化ポリビニルピロリドン誘導体等が挙げられる。
　【００２２】
　さらに、本発明の整髪剤組成物には、上記成分のほか、整髪剤組成物に通常用いられる成分、例えば保湿剤、粘度調整剤、色素、紫外線吸収剤、酸化防止剤、抗菌剤、防腐剤、精製水などを、発明の効果を損なわない範囲で適宜添加することができる。
　【００２３】
　本発明の整髪剤組成物は、上記成分を用いて常法に従って製造し、例えばヘアスプレー、ヘアミスト、ヘアフォーム、ヘアクリーム等の剤型にできる。
　【００２４】
　【発明の効果】
　本発明によれば、コポリマー（１）の刺激臭をマスキングし、刺激臭のない整髪剤組成物が得られる。
　【００２５】
　【実施例】
実施例１
　以下に示す組成のマスキング剤を常法により製造した。
　得られたマスキング剤は、コポリマーの刺激臭をマスキングする効果に優れていた。
　【表１】
　　（マスキング剤Ａ）
　　　　シンナミックアルコール　　　　　　　　　　　　　２００（重量部）
　　　　イランイラン油　　　　　　　　　　　　　　　　　　３０
　　　　ゲラニオール　　　　　　　　　　　　　　　　　　　４０
　　　　オイゲノール　　　　　　　　　　　　　　　　　　５４５
　　　　オリス　　　　　　　　　　　　　　　　　　　　　　　３
　　　　シナモンバーク油　　　　　　　　　　　　　　　　　　５
　　　　ローズ油　　　　　　　　　　　　　　　　　　　　　２０
　　　　ヘリオトロピン　　　　　　　　　　　　　　　　　　６０
　　　　クミンアルデヒド　　　　　　　　　　　　　　　　　　２
　　　　キャロットシード油　　　　　　　　　　　　　　　　１０
　　　　ピメントベリー油　　　　　　　　　　　　　　　　　１５
　　　
　ベンジルサリシレート　　　　　　　　　　　　　　　７０　　　　　
　　　　　　　　　　　　　　　　　　　　　　　　　　　１０００
　【００２６】
実施例２
　表２〜表３に示す組成の整髪剤組成物を常法により製造し、その刺激臭の有無について評価した。結果を表２〜表３に併せて示す。
　【００２７】
（評価方法）
　室温２５℃、湿度６５ＨＲの環境に保たれた室内において、専門パネラー１０人（男女各５人）で、下記のガラス瓶嗅ぎ口における香りのスニフ評価を行った。
（ａ）評価場面：
　ガラス瓶嗅ぎ口
　１００ｍｌガラス瓶広口規格瓶ＰＳ　Ｎｏ．１１に各整髪剤組成物を、７５ｍｌ±５ｍｌ充填し、その嗅ぎ口について評価した。
　【００２８】
（ｂ）評価基準：
　　○；８人以上がマスキングが良好で刺激臭がしないと評価した。
　　△；５〜７人がマスキングが良好で刺激臭がしないと評価した。
　　×；４人以下がマスキングが良好で刺激臭がしないと評価した。
　【００２９】
　【表２】
　【００３０】
　【表３】
　【００３１】
　表２〜表３の結果より、本発明の整髪剤組成物はいずれも、ビニルピロリドン／ビニルアセテートコポリマー自体の刺激臭及びコポリマーから発生する酢酸等の刺激臭をマスキングすることができた。
　【００３２】
実施例３（ヘアスプレー組成物）
　次に示す処方のヘアスプレー組成物を常法により製造した。
　【表４】
　　（成分）　　　　　　　　　　　　　　　　　　　　　　　　　（重量％）
　　　ビニルピロリドン／ビニルアセテートコポリマー（ルビスコールＶＡ６４、ＢＡＳＦ社製）
　　　　　　　　　　　　　　　　　　　　　　　　　　　　　　　　　５
　　　グリセリン　　　　　　　　　　　　　　　　　　　　　　　　　２
　　　オレイルアルコール　　　　　　　　　　　　　　　　　　　　　５
　　　ポリオキシエチレン（２０Ｅ．Ｏ．）イソセチルエーテル　　　　０．５
　　　α−モノイソステアリルグリセルエーテル　　　　　　　　　　　２
　　　ジメチルポリシロキサン　　　　　　　　　　　　　　　　　　　１
　　　ジプロピレングリコール　　　　　　　　　　　　　　　　　　　１
　　　９５％エタノール　　　　　　　　　　　　　　　　　　　　　８３．４
　　
　マスキング剤Ａ（実施例１）　　　　　　　　　　　　　　　　　０．１
　　　　　　　　　　　　　　　　　　　　　　　　　　　　　　　１００
　【００３３】
実施例４（ヘアミスト組成物）
　次に示す処方のヘアミスト組成物を常法により製造した。
　【表５】
　　（成分）　　　　　　　　　　　　　　　　　　　　　　　　（重量％）
　　　ビニルピロリドン／ビニルアセテートコポリマー（ルビスコールＶＡ６４、ＢＡＳＦ社製）
　　　　　　　　　　　　　　　　　　　　　　　　　　　　　　　　４
　　　塩化ステアリルトリメチルアンモニウム（２８％）　　　　　　０．５
　　　ソフタノール　　　　　　　　　　　　　　　　　　　　　　　０．１
　　　グリセリン　　　　　　　　　　　　　　　　　　　　　　　　３
　　　９５％エタノール　　　　　　　　　　　　　　　　　　　　１０
　　　マスキング剤Ａ（実施例１）　　　　　　　　　　　　　　　　０．０５
　　
　精製水　　　　　　　　　　　　　　　　　　　　　　　バランス　　　
　　　　　　　　　　　　　　　　　　　　　　　　　　　　　　１００
　【００３４】
実施例５（ヘアクリーム組成物）
　次に示す処方のヘアクリーム組成物を常法により製造した。
　【表６】
　　（成分）　　　　　　　　　　　　　　　　　　　　　　　　　（重量％）
　　　ビニルピロリドン／ビニルアセテートコポリマー（ルビスコールＶＡ６４、ＢＡＳＦ社製）
　　　　　　　　　　　　　　　　　　　　　　　　　　　　　　　　１
　　　ジメチルポリシロキサン　　　　　　　　　　　　　　　　　　５
　　　ソルビトール　　　　　　　　　　　　　　　　　　　　　　１０
　　　α−モノイソステアリルグリセルエーテル　　　　　　　　　　１
　　　オレイルアルコール　　　　　　　　　　　　　　　　　　　　７
　　　プロピレングリコール　　　　　　　　　　　　　　　　　　　２
　　　９５％エタノール　　　　　　　　　　　　　　　　　　　　　２
　　　ポリオキシエチレンソルビタンモノオレート　　　　　　　　　４
　　　グリセロールモノステアレート　　　　　　　　　　　　　　　２
　　　マスキング剤Ａ（実施例１）　　　　　　　　　　　　　　　　０．１５
　　
　精製水　　　　　　　　　　　　　　　　　　　　　　　　バランス　　
　　　　　　　　　　　　　　　　　　　　　　　　　　　　　　１００
　【００３５】
　実施例３〜５で得られた整髪剤組成物はいずれも、コポリマーの刺激臭がマスキングされていた。